(57)【要約】【課題】変形パッケージ（特に、ＬＧＡ，ＢＧＡタイプの変形パッケージ）用の電気部品用ソケットの製作コストを低減する。【解決手段】変形パッケージ２（２2）の裏面に格子状に複数形成された電極５の列又は行を基本パッケージ２（２1）の電極５の列又は行に合わせると、変形パッケージの電極５のピッチと基本パッケージの電極５のピッチとが等しく、且つ、変形パッケージの全ての電極５の電極形成領域が基本パッケージの全ての電極５の電極形成領域内に位置する場合には、変形パッケージの電極５の行と列をコンタクトピン６の行と列に合わせることができ、且つ、変形パッケージの電極５をコンタクトピン６に対して位置決めすることができるパッケージガイド穴１８を有する変形パッケージ用のパッケージガイド１０が基本パッケージ用のパッケージガイド１０に置き換えられ、ソケット本体４が共用される。【選択図】図５
2012015024.tif 000002
【特許請求の範囲】
【請求項１】
基本パッケージの裏面に格子状に複数形成された電極と外部電気的テスト回路とを一対
一で接続する複数のコンタクトピンと、
前記コンタクトピンが装着されるコンタクトピン収容穴を有するソケット本体と、
前記基本パッケージを収容するパッケージガイド穴が形成され、前記パッケージガイド
穴で前記基本パッケージの前記電極を前記コンタクトピンに対して位置決めできるように
前記ソケット本体に着脱可能に取り付けられた基本パッケージ用のパッケージガイドと、
前記ソケット本体に回動可能に取り付けられ、前記パッケージガイド穴に収容した前記
基本パッケージの前記電極を前記コンタクトピンに押し付けることができるようになって
いるカバーと、
を備えた電気部品用ソケットであって、
前記基本パッケージとは異なる変形パッケージの裏面に格子状に複数形成された電極の
列又は行を前記基本パッケージの前記電極の列又は行に合わせると、前記変形パッケージ
の前記電極のピッチと前記基本パッケージの前記電極のピッチとが等しく、且つ、前記変
形パッケージの全ての前記電極の電極形成領域が前記基本パッケージの全ての前記電極の
電極形成領域内に位置する場合には、前記変形パッケージの前記電極の行と列を前記コン
タクトピンの行と列に合わせることができ、且つ、前記変形パッケージの前記電極を前記
コンタクトピンに対して位置決めすることができるパッケージガイド穴を有する変形パッ
ケージ用のパッケージガイドが前記基本パッケージ用のパッケージガイドに置き換えられ
て前記ソケット本体に取り付けられる、
ことを特徴とする電気部品用ソケット。
【請求項２】
前記カバーには、前記基本パッケージを前記コンタクトピンに向けて押圧する基本パッ
ケージ用のプッシャーが着脱可能に取り付けられており、
前記変形パッケージ用のパッケージガイドが前記基本パッケージ用のパッケージガイド
に置き換えて使用される場合に、変形パッケージ用のプッシャーが前記基本パッケージ用
のプッシャーに置き換えられて前記カバーに取り付けられる、
ことを特徴とする請求項１に記載の電気部品用ソケット。
【発明の詳細な説明】
【技術分野】
【０００１】
この発明は、パッケージ（電気部品）のバーンインテスト等に使用される電気部品用ソ
ケットに関するものであり、特に、ＬＧＡ，ＢＧＡタイプのパッケージ用の電気部品用ソ
ケットに関するものである。
【背景技術】
【０００２】
従来から、電気部品用ソケットは、パッケージの初期不良を取り除く工程（バーンイン
テスト等）において使用される治具として知られている。
【０００３】
このような電気部品用ソケットのうち、ＬＧＡやＢＧＡタイプのパッケージのバーンイ
ンテスト等に使用される電気部品用ソケットは、パッケージがソケット本体上の所定位置
に載置されると、そのパッケージの裏面に形成された複数の電極と外部電気的テスト回路
とを複数のコンタクトピンで電気的に接続することができるようになっている。
【０００４】
そして、このような電気部品用ソケットは、コンタクトピンをパッケージの電極と一対
一で対応するように配置するため、パッケージの電極のピッチや配列状態に対応するコン
タクトピン収容穴がソケット本体に形成され、そのコンタクトピン収容穴にコンタクトピ
ンが収容されるようになっている（特許文献１参照）。
【先行技術文献】
【特許文献】
【０００５】
【特許文献１】特許第３２１４８５８号公報
【発明の概要】
【発明が解決しようとする課題】
【０００６】
しかしながら、従来の電気部品用ソケットは、基本パッケージの電極のピッチと変形パ
ッケージの電極のピッチが同一であっても、両パッケージの電極の配列状態が異なると、
変形パッケージの電極の配列状態に応じたコンタクトピンの配列状態にするため、ソケッ
ト本体を変形パッケージに応じて新たに製作するようになっていた。このような場合（所
謂特注品である変形パッケージを新たに製作する場合）、ソケット本体には、複数の細長
いコンタクトピン収容穴が切削加工されることになる。その結果、ソケット本体の加工コ
ストが嵩み、変形パッケージ用の電気部品用ソケットの価格が高くなるという問題があっ
た。
【０００７】
そこで、本発明は、変形パッケージ（特に、ＬＧＡ，ＢＧＡタイプの変形パッケージ）
用の電気部品用ソケットの製作コストを低減することを目的とする。
【課題を解決するための手段】
【０００８】
請求項１の発明は、図１乃至図１２に示すように、（１）基本パッケージ２1の裏面２
ａに格子状に複数形成された電極５と外部電気的テスト回路とを一対一で接続する複数の
コンタクトピン６と、（２）前記コンタクトピン６が装着されるコンタクトピン収容穴１
１を有するソケット本体４と、（３）前記基本パッケージ２1を収容するパッケージガイ
ド穴１２が形成され、前記パッケージガイド穴１２で前記基本パッケージ２1の前記電極
５を前記コンタクトピン６に対して位置決めできるように前記ソケット本体４に着脱可能
に取り付けられた基本パッケージ２1用のパッケージガイド１０と、（４）前記ソケット
本体４に回動可能に取り付けられ、前記パッケージガイド穴１２に収容した前記基本パッ
ケージ２1の前記電極５を前記コンタクトピン６に押し付けることができるようになって
いるカバー３と、を備えた電気部品用ソケット１に関するものである。この発明において
、前記基本パッケージ２1とは異なる変形パッケージ２2の裏面２ａに格子状に複数形成さ
れた電極５の列又は行を前記基本パッケージ２1の前記電極５の列又は行に合わせると、
前記変形パッケージ２2の前記電極５のピッチと前記基本パッケージ２1の前記電極５のピ
ッチとが等しく、且つ、前記変形パッケージ２2の全ての前記電極５の電極形成領域２１
が前記基本パッケージ２1の全ての前記電極５の電極形成領域２０内に位置する場合には
、前記変形パッケージ２2の前記電極５の行と列を前記コンタクトピン６の行と列に合わ
せることができ、且つ、前記変形パッケージ２2の前記電極５を前記コンタクトピン６に
対して位置決めすることができるパッケージガイド穴１８を有する変形パッケージ２2用
のパッケージガイド１０が前記基本パッケージ２1用のパッケージガイド１０に置き換え
られて前記ソケット本体４に取り付けられるようになっている。
【０００９】
請求項２の発明は、請求項１の発明に係る電気部品用ソケットの前記カバー３に特徴を
有するものである（図１及び図５参照）。すなわち、請求項１の発明において、前記カバ
ー３には、前記基本パッケージ２1を前記コンタクトピン６に向けて押圧する基本パッケ
ージ２1用のプッシャー１７が着脱可能に取り付けられている。そして、前記変形パッケ
ージ２2用のパッケージガイド１０が前記基本パッケージ２1用のパッケージガイド１０に
置き換えられて使用される場合に、変形パッケージ２2用のプッシャー１７が前記基本パ
ッケージ２1用のプッシャー１７に置き換えられて前記カバー３に取り付けられるように
なっている。
【発明の効果】
【００１０】
本発明によれば、変形パッケージのバーンインテスト等を行う場合、基本パッケージ用
のパッケージガイドを変形パッケージ用のパッケージガイドと交換するだけで済み、ソケ
ット本体を変形パッケージと基本パッケージとで共用できるため、ソケット本体の全体，
及びパッケージガイドを新たに変形パッケージ用に製作し直す場合に比較し、変形パッケ
ージ用の電気部品用ソケットの製作コストを低減することができる。
【図面の簡単な説明】
【００１１】
【図１】本発明に係る電気部品用ソケットの正面図であり、電気部品用ソケットの左半分を切断して示す正面図である。
【図２】本発明に係る電気部品用ソケットの平面図であり、カバーを閉じた状態を示す電気部品用ソケットの平面図である。
【図３】図３（ａ）が、本発明に係る電気部品用ソケットのカバーを開いた状態を示す電気部品用ソケットの平面図であり、基本パッケージ用のパッケージガイドを使用した電気部品用ソケットの平面図である。図３（ｂ）が、本発明に係る電気部品用ソケットのカバーを開いた状態を示す電気部品用ソケットの平面図であり、変形パッケージ用のパッケージガイドを使用した電気部品用ソケットの平面図である。
【図４】図２の電気部品用ソケットを右側から見て示す側面図である。
【図５】図２のＡ１−Ａ１線に沿って切断して示す電気部品用ソケットの断面図である。
【図６】基本パッケージを示す図であり、図６（ａ）が基本パッケージの正面図、図６（ｂ）が基本パッケージの裏面図、図６（ｃ）が図６（ｂ）のＢ部を拡大して示す図である。
【図７】フローティングプレートの平面図である。
【図８】基本パッケージ用のパッケージガイドを示す図であり、図８（ａ）がパッケージガイドの平面図、図８（ｂ）が図８（ａ）のＡ２−Ａ２線に沿って切断して示す拡大断面図である。
【図９】変形パッケージ用のパッケージガイドを示す図であり、図９（ａ）がパッケージガイドの平面図、図９（ｂ）が図９（ａ）のＡ３−Ａ３線に沿って切断して示す拡大断面図、図９（ｃ）が図９（ａ）の一部（パッケージガイド穴）を拡大して示す図である。
【図１０】変形パッケージを示す図であり、図１０（ａ）が変形パッケージの正面図、図１０（ｂ）が変形パッケージの裏面図、図１０（ｃ）が図１０（ｂ）の変形パッケージを時計回り方向へ４５°回転した状態を示す図である。
【図１１】基本パッケージ用の電極形成領域と変形パッケージの電極形成領域との関係を示す図である。
【図１２】パッケージガイド穴と変形パッケージとの係合状態を示す図である。
【発明を実施するための形態】
【００１２】
以下、本発明の実施の形態を図面に基づき詳述する。
【００１３】
図１乃至図５は、本実施形態に係る電気部品用ソケット１を示すものであり、ＬＧＡ，
ＢＧＡタイプのパッケージ２のバーンインテスト等に使用される電気部品用ソケット１を
示すものである。なお、図１は、電気部品用ソケット１の正面図であり、前記電気部品用
ソケット１の左半分を切断して示す正面図である。また、図２は、電気部品用ソケット１
の平面図であり、カバー３を閉じた状態を示す電気部品用ソケット１の平面図である。ま
た、図３は、カバー３を開いた状態を示す電気部品用ソケット１の平面図であり、図３（
ａ）が基本パッケージ２1用のパッケージガイド１０を使用した電気部品用ソケット１の
平面図であり、図３（ｂ）が変形パッケージ２2用のパッケージガイド１０を使用した電
気部品用ソケット１の平面図である。また、図４は、図２の電気部品用ソケット１を右側
から見て示す側面図である。また、図５は、図２のＡ１−Ａ１線に沿って切断して示す電
気部品用ソケット１の断面図である。
【００１４】
（電気部品用ソケットの概略構成）
これらの図に示すように、電気部品用ソケット１は、図示しない外部電気的テスト回路
上に設置されるソケット本体４と、このソケット本体４に装着されてパッケージ２（後述
する基本パッケージ２1又は変形パッケージ２2）の電極５と外部電気的テスト回路とを電
気的に接続する複数（電極５と同数）のコンタクトピン６と、ソケット本体４上の所定位
置にパッケージ２を案内するパッケージガイド１０と、ソケット本体５に回動できるよう
に取り付けられたカバー３と、を備えている。
【００１５】
（ソケット本体及びパッケージガイド）
ソケット本体４は、絶縁性樹脂材料製の下部ボディ７及びフローティングプレート８を
有し、下部ボディ上７にフローティングプレート８が分離できるように重ねて固定されて
いる。そして，ソケット本体４のフローティングプレート８上には、パッケージガイド１
０が分離できるように重ねて固定（クリップ，ねじ等の周知の固定手段で固定）されてい
る。
【００１６】
下部ボディ７及びフローティングプレート８は、基本パッケージ２1の裏面２ａの電極
５と対応するように、コンタクトピン収容穴１１が貫通形成されている（図６及び図７参
照）。そして、下部ボディ７及びフローティングプレート８のコンタクトピン収容穴１１
には、棒状のコンタクトピン６が収容されている。ここで、基本パッケージ２1は、図６
に示すように、平面形状が矩形形状であるパッケージ本体２ｂの裏面２ａに、一列に複数
（本実施形態においては１８個）の電極５が等ピッチ（Ｐ）で形成され、且つ、一行に複
数（本実施形態においては１８個）の電極５が等ピッチ（Ｐ）で形成されている。そして
、基本パッケージ２1の電極５は、パッケージ本体２ｂの直交する側面２ｃ１，２ｃ２の
一方に列又は行が平行に位置し、パッケージ本体２ｂの直交する側面２ｃ１，２ｃ２の他
方に行又は列が平行に位置するように、格子状に形成されている。したがって、下部ボデ
ィ７及びフローティングプレート８は、平面視した場合、コンタクトピン収容穴１１が基
本パッケージ２1の電極５に対応するように格子状に複数（１８×１８個）形成されてい
る。
【００１７】
図８は、基本パッケージ２1用のパッケージガイド１０を示すものである（図３（ａ）
参照）。この図８に示すように、このパッケージガイド１０は、基本パッケージ２1の四
側面２ｃ１〜２ｃ４に係合し、基本パッケージ２1をソケット本体４上の所定位置に案内
する平面形状が矩形形状のパッケージガイド穴１２が形成されている。そして、基本パッ
ケージ２1は、パッケージガイド穴１２に案内されてソケット本体４上の所定位置に収容
されると、電極５がコンタクトピン６に一対一で対応するように位置決めされ、電極５が
コンタクトピン６の先端に接触するようになっている。また、パッケージガイド１０のパ
ッケージガイド穴１２は、基本パッケージ２1の四側面２ｃ１〜２ｃ４に対向するように
位置する四側壁１３ａ１〜１３ａ４が裏面１４側（フローティングプレート８に対向する
面側）に形成され、その四側壁１３ａ１〜１３ａ４が基本パッケージ２1をソケット本体
４上の所定位置に位置決めするようになっている。また、基本パッケージ２1用のパッケ
ージガイド１０のパッケージガイド穴１２は、四側壁１３ａ１〜１３ａ４の上端から表面
１５（裏面１４側に対して反対側に位置する面）に向けて傾斜面１６ａ１〜１６ａ４が形
成され、四側壁１３ａ１〜１３ａ４から表面１５側へ向かうにしたがって大きくなるよう
に形成されている。このように、パッケージガイド穴１２が形成されることにより、基本
パッケージ２1をパッケージガイド穴１２内に挿入する際に、基本パッケージ２1の中心が
パッケージガイド穴１２の中心からずれて落下しても、基本パッケージ２1がパッケージ
ガイド穴１２の傾斜面１６ａ１〜１６ａ４のいずれかに沿って四側壁１３ａ１〜１３ａ４
内の空間に案内されて位置決めされるようになっている。また、パッケージガイド１０の
四側壁１３ａ１〜１３ａ４の上下方向の高さ寸法は、基本パッケージ２1のパッケージ本
体２ｂの板厚寸法（ｔ）よりも僅かに小さくなるように形成されている。これにより、基
本パッケージ２1は、後述するカバーの３プッシャー１７でコンタクトピン６に確実に押
し付けられる。ここで、基本パッケージ２1がパッケージガイド１０のパッケージガイド
穴１２によって案内される「所定位置」とは、基本パッケージ２1の各電極５がコンタク
トピン６に一対一で接触するように定められた位置をいう。
【００１８】
図９は、基本パッケージ２1用のパッケージガイド１０に代えて使用される変形パッケ
ージ２2用のパッケージガイド１０を示すものである（図３（ｂ）参照）。このパッケー
ジガイド１０は、図１０に示す変形パッケージ２2をソケット本体４上の所定位置に案内
するものであり、変形パッケージ２2が収容されるパッケージガイド穴１８が形成されて
いる。ここで、変形パッケージ２2は、図１０（ｂ）に示すように、平面形状が矩形形状
であるパッケージ本体２ｂの裏面２ａに複数の電極５が千鳥状に形成されている。この変
形パッケージ２2は、電極５の列がパッケージ本体２ｂの一側面２ｃ１，２ｃ２に対して
４５°傾けて形成されたものであり、電極５，５間のピッチ（Ｐ）が基本パッケージ２1
の電極５，５間のピッチ（Ｐ）と同一である（図６（ｃ）参照）。そして、図１０（ｃ）
に示すように、図１０（ｂ）の変形パッケージ２2を時計回り方向に４５°回転させると
、基本パッケージ２1の電極形成領域２０の一部に変形パッケージ２2の電極形成領域２１
が重なるようになっている（図１１参照）。したがって、変形パッケージ２2用のパッケ
ージガイド１０のパッケージガイド穴１８は、変形パッケージ２2を４５°時計回り方向
に回転させた状態で収容するように形成されている（図１２参照）。そして、パッケージ
ガイド１０のパッケージガイド穴１８に変形パッケージ２2が挿入されることにより、変
形パッケージ２2の電極５がコンタクトピン６に一対一で対応するようにパッケージガイ
ド穴１８で位置決めされ、変形パッケージ２2の電極５がコンタクトピン６の先端に接触
するようになっている。ここで、変形パッケージ２2がパッケージガイド１０のパッケー
ジガイド穴１８によって案内される「所定位置」とは、変形パッケージ２2の各電極５が
対応するコンタクトピン６に一対一で接触するように定められた位置をいう。また、図９
及び図１０に示すようなパッケージガイド１０及び変形パッケージ２2が使用される場合
は、ソケット本体４のコンタクトピン収容穴１１のうち変形パッケージ２2の各電極５に
対応するものにだけコンタクトピン６が装着される。
【００１９】
図９及び図１２に示すように、変形パッケージ２2に対応して使用されるパッケージガ
イド１０のパッケージガイド穴１８は、変形パッケージ２2の四側面２ｃ１〜２ｃ４に対
向するように位置する四側壁２２ａ１〜２２ａ４が裏面２３側（フローティングプレート
８に対向する面側）に形成され、その四側壁２２ａ１〜２２ａ４が変形パッケージ２2を
ソケット本体４上の所定位置に位置決めするようになっている。また、パッケージガイド
１０のパッケージガイド穴１８は、四側壁２２ａ１〜２２ａ４の上端から表面２４（裏面
２３側に対して反対側に位置する面）に向けて傾斜面２５ａ１〜２５ａ４が形成され、四
側壁２２ａ１〜２２ａ４から表面２４側へ向かうにしたがって大きくなるように形成され
ている。このように、パッケージガイド１０のパッケージガイド穴１８が形成されること
により、変形パッケージ２2をパッケージガイド穴１８内に挿入する際に、変形パッケー
ジ２2の中心がパッケージガイド穴１８の中心からずれて落下しても、変形パッケージ２2
がパッケージガイド穴１８の傾斜面２５ａ１〜２５ａ４のいずれかに沿って四側壁２２ａ
１〜２２ａ４内の空間に案内されて位置決めされるようになっている。また、パッケージ
ガイド１０の四側壁２２ａ１〜２２ａ４の各コーナー部には、パッケージガイド穴１８を
切削加工する際の工具逃がし溝２６が形成されている。また、パッケージガイド１０の四
側壁２２ａ１〜２２ａ４の上下方向の高さ寸法は、変形パッケージ２2のパッケージ本体
２ｂの板厚寸法（ｔ）よりも僅かに小さくなるように形成されている。これにより、変形
パッケージ２2は、後述するカバー３のプッシャー１７でコンタクトピン６に確実に押し
付けられる。
【００２０】
（カバー）
図１乃至図５に示すように、カバー３は、その一端側がソケット本体４のカバー支持部
２７に支持軸２８を介して回動可能に支持されている。そして、カバー３は、ソケット本
体４の上面３０を開く方向にばね３１で常時付勢されている。また、カバー３は、その他
端側にフック３２が回動可能に取り付けられており、フック３２をソケット本体４の係止
用段部３３に引っ掛けることにより、ソケット本体４の上面３０を塞ぐ位置にばね３１の
付勢力に抗して保持されるようになっている。
【００２１】
カバー３のカバー本体３４の裏面側（ソケット本体４に対向する面側）には、プッシャ
ー１７が着脱できるように取り付けられており、このプッシャー１７がばね３５で付勢さ
れた状態で支持されている。そして、カバー３がソケット本体４の上面３０を塞ぐように
回動させられると、プッシャー１７の先端部１７ａがパッケージガイド穴（１２，１８）
内に係合され、そのプッシャー１７の先端部１７ａでパッケージガイド（１２，１８）穴
内のパッケージ２（２1，２2）を押圧し、プッシャー１７に作用するばね３５の弾性力で
パッケージ２（２1，２2）の電極５がコンタクトピン６の先端に押し付けられることにな
る。ここで、プッシャー１７は、カバー本体３４の裏面から離れる方向へ常時ばね３５で
付勢されており、そのカバー本体３４からの離間位置がカバー本体３４に固定したストッ
パ３６に突き当たることで規制されるようになっている。プッシャー１７は、パッケージ
ガイド穴（１２，１８）内のパッケージ２（２1，２2）を確実に押圧できるようにするた
め、パッケージガイド穴（１２，１８）との間に僅かな隙間が生じるように形成されてい
る。ここで、プッシャー１７は、変形パッケージ２2及びパッケージガイド穴１８の形状
に応じて形成されたものが、基本パッケージ２1用のプッシャー１７に代えてカバー本体
３４に装着される。なお、プッシャー１７は、ストッパ３６のネジ部３７及び固定用ナッ
トでカバー本体３４に着脱可能に取り付けられるようになっている。
【００２２】
（コンタクトピン）
コンタクトピン６は、導電性金属材料で形成された棒状部材であり、ソケット本体４に
固定される基部と電極５に弾性的に接触する接触子とを有している。そして、このような
コンタクトピン６は、ソケット本体４の全コンタクトピン収容穴１１のうちで変形パッケ
ージ２2の電極５に対応するコンタクトピン収容穴１１にだけ係合されるようになってい
る。
【００２３】
（本実施形態の効果）
以上のように本実施形態によれば、変形パッケージ２2の電極５のピッチＰが基本パッ
ケージ２1の電極５のピッチＰと同一であり、変形パッケージ２2の電極形成領域２１が基
本パッケージ２1の電極形成領域２０の一部分に対応する場合には、基本パッケージ２1用
のパッケージガイド１０及びプッシャー１７のみを変形パッケージ２2用のパッケージガ
イド１０及びプッシャー１７と交換するだけで済み、ソケット本体４を共用できるため、
ソケット本体４，パッケージガイド１０及びプッシャー１７を新たに変形パッケージ２2
用に製作し直す場合（従来例）に比較し、変形パッケージ２2（特に、ＬＧＡ，ＢＧＡタ
イプの変形パッケージ２2）用の電気部品用ソケット１の製作コストを低減することがで
きる。
【００２４】
なお、変形パッケージ２2は、図１０に示したものに限定されず、ソケット本体４を共
用できるものである限り、本発明を適用することができる。
【００２５】
また、プッシャー１７は、最小サイズの変形パッケージ用のものをカバー本体３４に取
り付けておき、基本パッケージ２1及び変形パッケージ用として共用するようにしてもよ
い。この場合、プッシャー１７は、パッケージ２の形状に応じて交換する必要がなく、部
品単価の低廉化を図ることが可能となる。また、この場合、プッシャー１７とパッケージ
２との間にスペーサを入れ、プッシャー１７の押圧力がスペーサを介してパッケージ２に
均等に作用するようにしてもよい。
【符号の説明】
【００２６】
１……電気部品用ソケット、２1……基本パッケージ、２2……変形パッケージ、２ａ…
…裏面、３……カバー、４……ソケット本体、５……電極、６……コンタクトピン、１０
……パッケージガイド、１１……コンタクトピン収容穴、１２，１８……パッケージガイ
ド穴、１７……プッシャー、２０，２１……電極形成領域
【図１】
2012015024.tif 000003
【図２】
2012015024.tif 000004
【図３】
2012015024.tif 000005
【図４】
2012015024.tif 000006
【図５】
2012015024.tif 000007
【図６】
2012015024.tif 000008
【図７】
2012015024.tif 000009
【図８】
2012015024.tif 000010
【図９】
2012015024.tif 000011
【図１０】
2012015024.tif 000012
【図１１】
2012015024.tif 000013
【図１２】
2012015024.tif 000014